(57)【特許請求の範囲】
【請求項１】
先端に針を装着した外筒と、この外筒内で薬液の充填空間を形成しその摺動にて該薬液を針の先端から排出するプランジャーを備えた注射器であって、
前記外筒に、当該外筒において嵌合するロック用チップにヒンジを介して揺動可能に保持され、その引き起しによる起立姿勢でもって少なくとも針先を覆い隠す保護カバーを設け、
この保護カバーは、当該保護カバーの起立姿勢でもって前記ロック用チップに設けた凸部に嵌合して、この起立姿勢を維持して逆向きへの倒れ込みを不可とする、当該保護カバーに設けた開口としてなるロック機構を有することを特徴とする注射器。
【請求項２】
保護カバーは、この保護カバーの背面に、当該保護カバーの反転姿勢でもって前記ロック用チップに係合して該保護カバーの反転姿勢を維持するロック機構を有する請求項１に記載の注射器。
【請求項３】
保護カバーは、その起立姿勢にて針の本体と係合して該針を保持するサポート部を有する請求項１または２記載の注射器。
【請求項４】
保護カバーは、外筒に係合して注射器の使用時における揺動を防止するストッパーを有する請求項１〜３の何れかに記載の注射器。
【発明の詳細な説明】
【０００１】
【発明の属する技術分野】
本発明は、注射器に関するものであり、該注射器をより一層安全に取り扱おうとするものである。
【０００２】
【従来の技術】
医療分野で使用される注射器は、その取り扱い（とくに廃棄時）に際しての安全性を確保する観点から、使用済みの注射器には注射針を覆い隠す保護カバーが取り付けられる。
【０００３】
ところで、従来の保護カバーは、注射器からの着脱が可能なキャップ形式であってその装着に際して誤って針先で手や指に傷をつけてしまうおそれがあること、また、保護カバーを装着する作業自体煩わしいものとなっており作業者の負担（とくに精神的な負担）が大きことからその改善が求められている。
【０００４】
【発明が解決しようとする課題】
本発明の課題は、使用済み注射器に対して安全に、しかも確実に保護カバーを取り付けることができる新規な注射器を提案するところにある。
【０００５】
【課題を解決するための手段】
本発明は、先端に針を装着した外筒と、この外筒内で薬液の充填空間を形成しその摺動にて該薬液を針の先端から排出するプランジャーを備えた注射器であって、
前記外筒に、当該外筒において嵌合するロック用チップにヒンジを介して揺動可能に保持され、その引き起しによる起立姿勢でもって少なくとも針先を覆い隠す保護カバーを設け、この保護カバーは、当該保護カバーの起立姿勢でもって前記ロック用チップに設けた凸部に嵌合して、この起立姿勢を維持して逆向きへの倒れ込みを不可とする、当該保護カバーに設けた開口としてなるロック機構を有することを特徴とする注射器である。
【０００６】
上記の構成になる注射器において保護カバーには、この保護カバーの背面に、当該保護カバーの反転姿勢でもって前記ロック用チップに係合して該保護カバーの起立姿勢及び反転姿勢を維持するロック機構を設けることができる。
【０００７】
また、保護カバーには、その起立姿勢にて針と係合して該針を保持するサポート部を設けることができる他、外筒に係合して注射器の使用時における揺動を防止するストッパーを設けることができる。
【０００９】
また、本発明は、保護カバーの起立姿勢にて針の本体と係合することにより該針を保持するサポート部を有して逆向きへの倒れ込みを不可とすることができる。
【００１０】
上記の構成になる注射器において保護カバーには、外筒に係合して注射器の使用時における揺動を防止するストッパーを設けることができる。
【００１２】
【発明の実施の形態】
以下、図面を用いて本発明をより具体的に説明する。
【００１３】
図１は本発明の第１の実施の形態（注射器の使用時）を示したものであり、図における１は外筒、２は外筒１の先端に固定保持した例で示した皮下用の針である。
【００１４】
また、３は外筒１内で摺動可能なプランジャーであり、このプランジャー３は外筒１内で薬液の充填空間Ｍを形成しその押圧による摺動にて該薬液を針２の先端から排出することができるようになっている。
【００１５】
また、４は外筒１において嵌合するロック用チップｃにヒンジｈを介して揺動可能に保持される保護カバーである。この保護カバー４は図２（注射器の使用前）に示すように、起立姿勢でもって針２の少なくとも先端を覆い隠すことができるようになっている。
【００１６】
また、図１において５は保護カバー４に一体的に設けた開口を例として示したロック機構であり、図３における６は保護カバー４の背面に設けた開口を例として示したロック機構である。ロック機構５はロック用チップｃに設けられた凸部１ａに嵌合して図４（注射器の使用後）の如き起立姿勢を強固に維持し、ロック機構６はロック用チップｃに設けられた凸部１ｂに嵌合して図１の如き反転姿勢を強固に維持する。
【００１７】
上掲図１に示した注射器は、その使用後に保護カバー４を引き起こしてロック機構５の開口をロック用チップｃの凸部１ａに嵌合させるだけで針２を確実に覆うことができるのでキャップタイプのカバーを装着する形式の注射器において懸念されるような危険は全くない。
【００１８】
ロック機構５については凸部１ａに嵌合させる開口を例として示したが、図５に示すような爪をロック用チップｃの爪１ａに係合させるものであってもよい。また、ロック機構６については、矩形の開口を例として示したが、図６に示すように、保護カバー４の背面に円形（楕円のような長孔でもよい）の開口を設け、ロック用チップｃに設けた円形の凸部１ｂに嵌合させるものであってもかまわない。
【００１９】
図７〜図９は本発明に従う注射器の第２の実施の形態を示したものであり、図７は使用前のセット状態であり、図８は使用時の状態であり、図９は使用後の状態である。
【００２０】
図において７はバージンタイプのキャップ、８は保護カバー４の内側において一体的に形成した例で示した挟持タイプのサポート部である。
【００２１】
かかる構成の注射器は図７のようなセット状態でキャップ７が装着されており、キャップ７によって使用前における安全性と針２の衛生が確保される。
【００２２】
注射器を使用するに当たっては図８に示すようにキャップ７を切り離すだけでよく、使用後は図９に示すごとく保護カバー４を引き起こしてロック機構５の凸部５ａをロック用チップｃの開口１ｃに適合させるだけで針２を確実に覆うことができる。尚、本実施例では、凸部５ａ端面の一側部をテーパ面としており、これにより凸部５ａの開口１ｃへの装入が容易な構成としている。
【００２３】
この注射器は、保護カバー４の内側にサポート部８が設けられているため、保護カバー４を引き起こしたとき、針２はサポート部８によって挟持される。
【００２４】
図１０〜図１３は本発明に従う注射器の参考技術を示したものであり、図１０は使用前における状態を、図１１は使用後における状態を、図１２、図１３は図１０、図１１の断面をそれぞれ示したものである。
【００２５】
図１０〜図１３において９は保護カバー４に一体的に設けられロック用チップｃに係合して注射器の使用時における保護カバー４の揺動を防止するストッパーである。このストッパー９は引っ掛け爪を持つ弾性舌片９ａからなっている。
【００２６】
上掲図１０〜図１３に示した注射器についても使用後に保護カバー４をヒンジｈを起点にして引き起こすだけで針２を確実に覆い隠すことができ、手や指を針先で傷つけたりすることはない。
【００２７】
このタイプの注射器は、保護カバー４の引き起しに際してサポート部８によって針２の基部を挟持するので保護カバー４の起立姿勢は確実に保持される。
【００２８】
図１４〜図１７は本発明に従う注射器の他の参考技術を示したものである。図１４は使用後における注射器の外観斜視図であり、図１５は使用前における断面図、図１６は使用後における断面図、図１７は要部の拡大図である。
【００２９】
図における９は保護カバー４と一体になるストッパーであって、注射器の使用時に外筒１に係合して該カバー４の揺動を防止する。サポート部８はその平面形状を図１７に示すように構成することができ、これにより保護カバー４を引き起して針２の先端がサポート部８の内側に一度入り込んだら抜けないようにすることが可能であり、安全性が著しく改善される。また、本実施例では、保護カバー４にサポート部８の側壁に連続する側壁部を設けているが、該側壁部を削除した構成とすることも適宜選択可能である。
【００３０】
上掲図１に示した構成になる注射器については、図１８に示すようにロック機構６に換えて上記のストッパー９を設けることもできる。
【００３１】
図１９は本発明に従う注射器の更に他の参考技術を示したものである。
この注射器は保護カバー４が外筒１の胴部を挟んで対向配置されたカバー本体部分４ａ、４ｂからなっていて、このカバー本体部分４ａ、４ｂの先端にはそれと一体的に形成された凹部、凸部を形成したフィンｆを有する。
【００３２】
カバー本体部分４ａ、４ｂの先端のフィンｆは注射器のフィンガーフランジとして機能するものであり、注射器の使用後は、図２０に示すようにカバー本体部分４ａ、４ｂをそれぞれヒンジｈを起点にして引き起こし、フィンｆの凸部を凹部に係合させて針２を覆い隠す保護空間を形成する。
【００３３】
上掲図１９に示したような注射器は、その使用前、すなわち、セット状態で図２０のようにしておくこともでき、これによれば安全性が確保できるだけでなく、針を衛生的に保つこともできる。
【００３４】
図２１に使用時（二点鎖線）と使用後における保護カバー４の配置状況を示す。
【００３５】
【発明の効果】
本発明によれば、保護カバーを引き起こすだけで針を覆い隠すことができるので、針先が手や指に触れて傷をつけてしまうおそれがない。
【００３６】
また、本発明によれば、外筒に保護カバーが備えられているのでカバーの装着作業の煩わしさを軽減できる。
【図面の簡単な説明】
【図１】  本発明に従う注射器の第１の実施の形態を示した図である。
【図２】  図１に示した注射器の使用前の状態を示した図である。
【図３】  図１に示した注射器の背面要部を示した図である。
【図４】  図１に示した注射器の使用後の状態を示した図である。
【図５】  図１に示した注射器の変形例を示した図である。
【図６】  図１に示した注射器の変形例を示した図である。
【図７】  本発明に従う注射器の第２の実施の形態を示した図である。
【図８】  図７に示した注射器の使用時の状態を示した図である。
【図９】  図７に示した注射器の使用後の状態を示した図である。
【図１０】  本発明に従う注射器の参考技術を示した図である。
【図１１】  図１０に示した注射器の使用後の状態を示した図である。
【図１２】  図１０に示した注射器の使用時における断面を示した図である。
【図１３】  図１０に示した注射器の使用後における断面を示した図である。
【図１４】  本発明に従う注射器の他の参考技術を示した図である。
【図１５】  図１４に示した注射器の使用前の断面を示した図である。
【図１６】  図１４に示した注射器の使用後における断面を示した図である。
【図１７】  図１４に示した注射器の要部を示した図である。
【図１８】  本発明に従う注射器の変形例を示した図である。
【図１９】  本発明に従う注射器の更に他の参考技術を示した図である。
【図２０】  図１９に示した注射器の使用後（使用前）の状態を示した図である。
【図２１】  図１９に示した注射器の使用時の状態と使用前後の状態を示した図である。
【符号の説明】
１  外筒（シリンジ）
１ａ  凸部
１ｂ  凸部
１ｃ  開口
２  針
３  プランジャー
４  保護カバー
４ａ  カバー本体部分
４ｂ  カバー本体部分
５  ロック機構
５ａ  凸部
６  ロック機構
７  キャップ
８  サポート部
９  ストッパー
９ａ  弾性舌片
Ｍ  充填空間
ｃ  ロック用チップ
ｈ  ヒンジ
ｆ  フィン
【図１】
0004462803.tif 000002
【図２】
0004462803.tif 000003
【図３】
0004462803.tif 000004
【図４】
0004462803.tif 000005
【図５】
0004462803.tif 000006
【図６】
0004462803.tif 000007
【図７】
0004462803.tif 000008
【図８】
0004462803.tif 000009
【図９】
0004462803.tif 000010
【図１０】
0004462803.tif 000011
【図１１】
0004462803.tif 000012
【図１２】
0004462803.tif 000013
【図１３】
0004462803.tif 000014
【図１４】
0004462803.tif 000015
【図１５】
0004462803.tif 000016
【図１６】
0004462803.tif 000017
【図１７】
0004462803.tif 000018
【図１８】
0004462803.tif 000019
【図１９】
0004462803.tif 000020
【図２０】
0004462803.tif 000021
【図２１】
0004462803.tif 000022